(57)【特許請求の範囲】
【請求項１】
サブマリンケーブルの外周面に密着して上下移動を制限するように取り付けられ、左右方向に分離されるように形成されてサブマリンケーブルの装着位置に直ちに装着することが可能な下部アーマークランプ部と；
下端が前記下部アーマークランプ部の上部の外周面に取り付けられて前記下部アーマークランプ部を支持し、上方に延びて前記サブマリンケーブルおよび電力三相ケーブルの連結部位を支持およびカバーし、左右方向に分離されるように形成されて前記連結部位に直ちに装着することが可能な中間アーマークランプ部と；
上端から前記電力三相ケーブルを収容し且つ中間アーマークランプ部の上部を覆うように設けられ、左右方向に分離されるように形成されて前記中間アーマークランプ部の上部に直ちに装着することが可能な上部アーマークランプ部とを含んでなることを特徴とする、サブマリンケーブルアーマークランプアセンブリ。
【請求項２】
前記下部アーマークランプ部は、左右方向の一方側で半円筒状に形成される第１下部クランプと、左右方向の他方側で半円筒状に形成される第２下部クランプとからなり、前記第１下部クランプと前記第２下部クランプとの結合によって円筒状をなして前記サブマリンケーブルに取り付けられ、
前記中間アーマークランプ部は、左右方向の一方側で半円筒状に形成される第１中間クランプと、左右方向の他方側で半円筒状に形成される第２中間クランプとからなり、前記第１中間クランプと前記第２中間クランプとの結合によって円筒状をなして前記下部アーマークランプ部の上部および前記サブマリンケーブルの外側に取り付けられ、
前記上部アーマークランプ部は、左右方向の一方側で半円筒状に形成される第１上部クランプと、左右方向の他方側で半円筒状に形成される第２上部クランプとからなり、前記第１上部クランプと前記第２上部クランプとの結合によって円筒状をなして前記中間アーマークランプの上部および前記電力三相ケーブルの外側に取り付けられることを特徴とする、請求項１に記載のサブマリンケーブルアーマークランプアセンブリ。
【請求項３】
前記下部アーマークランプ部、前記中間アーマークランプ部および前記上部アーマークランプ部は、上下方向に隣り合うアーマークランプの間に、左右方向の分離線が上下方向に互いに一致しないように配置されることを特徴とする、請求項１または２に記載のサブマリンケーブルアーマークランプアセンブリ。
【請求項４】
前記下部アーマークランプ部、前記中間アーマークランプ部および前記上部アーマークランプ部の少なくとも一つのアーマークランプ部には左右方向に分離される一側面から側方向に突出する嵌合突起、および一側面に面接触して結合する他側面から陥没する嵌合溝が設けられることにより、左右方向への結合の際に前記嵌合溝に前記嵌合突起が嵌め込まれて結合力を増加させることを特徴とする、請求項１または２に記載のサブマリンケーブルアーマークランプアセンブリ。
【請求項５】
前記中間アーマークランプ部は、
側面に沿って穿設される側面貫通ホールと、
前記側面貫通ホールに螺着される圧迫ボルトと、
前記中間アーマークランプ部の内側で一面が圧迫ボルトの端部に接触し且つ他面がサブマリンケーブルの外周面に接触して、前記圧迫ボルトの回転によって前記サブマリンケーブルに圧着されて支持する圧着パッドとを含むことを特徴とする、請求項１に記載のサブマリンケーブルアーマークランプアセンブリ。
【発明の詳細な説明】
【技術分野】
【０００１】
本発明は、サブマリンケーブルアーマークランプアセンブリ(submarine cable armour clamp assembly)に係り、より詳しくは、サブマリンケーブルを堅く把持することができ、施工の際に装着および脱去が容易なサブマリンケーブルアーマークランプアセンブリに関する。
【背景技術】
【０００２】
一般に、サブマリンケーブルが海底を介して島や、風力発電機、中間タワー（様々な島へ電気を分電しようとするとき）などに上がっていく。
【０００３】
このようなサブマリンケーブルの重さが重いため、下方に引っ張る引張強度では、ケーブルの重量（５０〜６０ｋｇ／１ｍ）に水中の各種変化要素、例えば流速、波、風などが加えられ、ケーブルが風力発電機、タワーおよびＨ柱上で位置を保つことは難しい。
【０００４】
アーマークランプアセンブリは、サブマリンケーブルが下方に引っ張られていかないように把持する役割を果たす。具体的に、サブマリンケーブルには、外皮の内側にアーマーワイヤーという７〜１０ｍｍの鉄線が挿入されている。この鉄線は、サブマリンケーブルの強度を強化させ、アーマークランプアセンブリと連結してサブマリンケーブルが海側へ引っ張られていかないように把持する役割も果たす。
【０００５】
ところが、従来では、上下の２つのクランプで鉄線を把持しているため把持力が強くない、外函、すなわち風、雨、海水を防ぐケースがないなどの問題点があった。
【０００６】
これを改善するために、外函を備える場合もあるが、単に鉄線とサブマリンケーブルを把持する役割のみを果たすため、接地の問題があった。すなわち、サブマリンケーブルも電線であるため接地が必要であるが、従来の製品は接地を別途施しているから、二重作業を行わなければならない。これにより、施工時間が増加し、アーマークランプアセンブリの構造が複雑になるという問題点があった。
【０００７】
しかも、従来では、リング状または円板状のアーマークランプアセンブリをサブマリンケーブルに取り付けるためにサブマリンケーブルの端部からアーマークランプアセンブリを挿入して取付部分まで移動させ、必要に応じて取り外す場合にはさらにサブマリンケーブルの端部までアーマークランプアセンブリを移動させて抜けなければならないから、施工の際に多くの時間がかかり、不便さが発生するという問題点があった。
【先行技術文献】
【特許文献】
【０００８】
【特許文献１】韓国登録特許第１０−１４０８０５０号
【発明の概要】
【発明が解決しようとする課題】
【０００９】
本発明は、かかる問題点を解決するために案出されたもので、その目的は、電力三相ケーブルからサブマリンケーブルに連結される部分を堅く支持することが可能であるとともに、自重によって海の方向に引張力が作用してもサブマリンケーブルをしっかり把持することにより、下方に引っ張られるのを防止することが可能なサブマリンケーブルアーマークランプアセンブリおよびその施工方法を提供することにある。
【００１０】
また、本発明の他の目的は、施工時の容易な装着及び脱去のために左右に分離可能であるものの、結合の際には堅く締結させることが可能なサブマリンケーブルアーマークランプアセンブリおよびその施工方法を提供することにある。
【００１１】
また、本発明の別の目的は、アーマーワイヤーを十分に保護し、接地構造の設置を容易にする空間を効果的に確保することが可能なサブマリンケーブルアーマークランプアセンブリおよびその施工方法を提供することにある。
【００１２】
本発明が解決しようとする課題は上述した課題に制限されず、上述していない別の課題は以降の記載から本発明の属する技術分野における通常の知識を有する者に明確に理解できるであろう。
【課題を解決するための手段】
【００１３】
上記目的を達成するために、本発明に係るサブマリンケーブルアーマークランプアセンブリは、サブマリンケーブルの外周面に密着して上下移動を制限するように取り付けられ、左右方向に分離されるように形成されてサブマリンケーブルの装着位置に直ちに装着することが可能な下部アーマークランプ部と；下端が下部アーマークランプ部の上部の外周面に取り付けられて下部アーマークランプ部を支持し、上方に延びてサブマリンケーブルおよび電力三相ケーブルの連結部位を支持およびカバーし、左右方向に分離されるように形成されて連結部位に直ちに装着することが可能な中間アーマークランプ部と；上端から電力三相ケーブルを収容し、中間アーマークランプ部の上部を覆うように設けられ、左右方向に分離されるように形成されて中間アーマークランプ部の上部に直ちに装着することが可能な上部アーマークランプ部とを含んでなる。
【００１４】
また、本発明の下部アーマークランプ部は、左右方向の一方側で半円筒状に形成される第１下部クランプと、左右方向の他方側で半円筒状に形成される第２下部クランプとからなり、第１下部クランプと第２下部クランプとの結合によって円筒状をなしてサブマリンケーブルに取り付けられ、中間アーマークランプ部は、左右方向の一方側で半円筒状に形成される第１中間クランプと、左右方向の他方側で半円筒状に形成される第２中間クランプとからなり、第１中間クランプと第２中間クランプとの結合によって円筒状をなして下部アーマークランプ部の上部およびサブマリンケーブルの外側に取り付けられ、上部アーマークランプ部は、左右方向の一方側で半円筒状に形成される第１上部クランプと、左右方向の他方側で半円筒状に形成される第２上部クランプとからなり、第１上部クランプと第２上部クランプとの結合によって円筒状をなして中間アーマークランプの上部および電力三相ケーブルの外側に取り付けられることを特徴とする。
【００１５】
また、本発明の下部アーマークランプ部、中間アーマークランプ部および上部アーマークランプ部は、上下方向に隣り合うアーマークランプの間に、左右方向の分離線が上下方向に互いに一致しないように配置されることを特徴とする。
【００１６】
また、本発明の下部アーマークランプ部、中間アーマークランプ部および上部アーマークランプ部の少なくとも一つのアーマークランプ部には左右方向に分離される一側面から側方向に突出する嵌合突起、および一側面に面接触して結合する他側面から陥没する嵌合溝が設けられることにより、左右方向への結合の際に嵌合溝に嵌合突起が嵌め込まれて結合力を増加させることを特徴とする。
【００１７】
また、本発明の中間アーマークランプ部は、側面に沿って穿設される側面貫通ホールと、側面貫通ホールに螺着される圧迫ボルトと、中間アーマークランプ部の内側で一面が圧迫ボルトの端部に接触し且つ他面がサブマリンケーブルの外周面に接触して、圧迫ボルトの回転によってサブマリンケーブルに圧着されて支持する圧着パッドとを含むことを特徴とする。
【発明の効果】
【００１８】
本発明のサブマリンケーブルアーマークランプアセンブリおよびその施工方法は、電力三相ケーブルからサブマリンケーブルに連結される部分を堅く支持することができるとともに、自重によって海の方向に引張力が作用しても、サブマリンケーブルを強く把持することにより、下方に引っ張られるのを防止することができるという効果がある。
【００１９】
また、本発明のサブマリンケーブルアーマークランプアセンブリおよびその施工方法は、施行時の容易な装着および脱去のために左右に分離可能であるが、結合の際には堅く締結させることができるという効果がある。
【００２０】
また、本発明のサブマリンケーブルアーマークランプアセンブリおよびその施工方法は、アーマーワイヤーを十分に保護し、接地構造の設置を容易にする空間を効果的に確保することができるという効果がある。
【図面の簡単な説明】
【００２１】
【図１】本発明の第１実施例に係るサブマリンケーブルアーマークランプアセンブリを示す図である。
【図２】本発明の第１実施例に係るサブマリンケーブルアーマークランプアセンブリの上部アーマークランプ部を示す図である。
【図３】本発明の第１実施例に係るサブマリンケーブルアーマークランプアセンブリの中間アーマークランプ部を示す図である。
【図４】本発明の第１実施例に係るサブマリンケーブルアーマークランプアセンブリの下部アーマークランプ部を示す図である。
【図５】本発明の第２実施例に係るサブマリンケーブルアーマークランプアセンブリを示す図である。
【図６】本発明の第２実施例に係るサブマリンケーブルアーマークランプアセンブリを分解して示す図である。
【図７】本発明の第３実施例に係るサブマリンケーブルアーマークランプアセンブリを示す図である。
【図８】本発明の第３実施例に係るサブマリンケーブルアーマークランプアセンブリを分解して示す図である。
【発明を実施するための形態】
【００２２】
上述した本発明についての解決しようとする課題、課題の解決手段および発明の効果を含む具体的な事項は、後述する実施例および図面に含まれている。本発明の利点、特徴、およびそれらの達成方法は、添付図面と共に詳細に後述する実施例を参照すると明らかになるであろう。
【００２３】
本発明の一実施例に用いられるアーマークランプアセンブリは、海底を通過して陸上の構造物と海上の構造物との間で電力供給および通信連結を行うためのサブマリンケーブルを陸上または海上の構造物に固定させるが、サブマリンケーブルのアーマーワイヤー(armour wire)を位置固定させて引張力または波による振動の伝達を遮断する。また、電力三相ケーブルから出た接地電流は、アーマークランプアセンブリとの接続断面積の増加による導電率を向上させて外部への接地がなされるようにする。ここで、アーマークランプアセンブリによってクランピングされる部分は、サブマリンケーブルが海水面上に上がってきて接地と固定がなされる部分を意味する。
【００２４】
このような本発明の一実施例に係るサブマリンケーブルの終端部側に設置されるアーマークランプアセンブリは、サブマリンケーブルのアーマーワイヤーを逆方向に覆って固定させるアーマークランプアセンブリを含んで構成される。
【００２５】
以下、添付図面を参照して本発明をより詳細に説明する。
【００２６】
＜第１実施例＞
図１〜図４は本発明の第１実施例に係るサブマリンケーブルアーマークランプアセンブリを説明するための図である。具体的に、図１は本発明の第１実施例に係るサブマリンケーブルアーマークランプアセンブリを示す図、図２は本発明の第１実施例に係るサブマリンケーブルアーマークランプアセンブリの上部アーマークランプ部を示す図、図３は本発明の第１実施例に係るサブマリンケーブルアーマークランプアセンブリの中間アーマークランプ部を示す図、図４は本発明の第１実施例に係るサブマリンケーブルアーマーアセンブリの下部アーマークランプ部を示す図である。
【００２７】
図１〜図４に示すように、本発明の第１実施例に係るサブマリンケーブルアーマークランプアセンブリは、下部アーマークランプ部１１０、中間アーマークランプ部１２０、および上部アーマークランプ部１３０を含む。
【００２８】
下部アーマークランプ部１１０は、サブマリンケーブル１０の外周面に密着して上下移動を制限するように取り付けられる。また、下部アーマークランプ部１１０は、左右方向に分離されるように形成され、サブマリンケーブル１０の装着位置に直ちに装着することが可能となる。
【００２９】
具体的に、下部アーマークランプ部１１０は、左右方向の一方側で半円筒状に形成される第１下部クランプ１１０ａと、左右方向の他方側で半円筒状に形成される第２下部クランプ１１０ｂとからなり、第１下部クランプ１１０ａと第２下部クランプ１１０ｂとの結合によって円筒状をなしてサブマリンケーブル１０に取り付けられる。
【００３０】
また、本発明の第１実施例に係る下部アーマークランプ部１１０には、左右方向に分離される一側面から側方向に突出する嵌合突起（図面符号「１３１」参照）と、一側面に面接触して結合する他側面から陥没する嵌合溝（図面符号「１３２」参照）が設けられ、左右方向への結合の際に嵌合溝１３２に嵌合突起１３１が嵌め込まれて結合力を増加させることができる。
【００３１】
また、本発明の第１実施例に係る下部アーマークランプ部１１０には、下端に段差をおいて外側へさらに延びるように設けられる第１締結フランジ１１１と、第１締結フランジ１１１の段差面に沿って設けられ、上下方向に貫通する第２締結ホール１１２と、第２締結ホール１１２を介して、海底を通過して陸上の構造物と海上の構造物との間で電力供給および通信連結を行うためのサブマリンケーブル１０を陸上または海上の構造物に固定させる第２締結ボルト１１３とがさらに備えられることが可能である。すなわち、サブマリンケーブルは風力発電機、タワーおよびＨ柱上でサブマリンケーブルアーマークランプアセンブリの位置を維持することができる。
【００３２】
中間アーマークランプ部１２０は、下端が下部アーマークランプ部１１０の上部外周面に取り付けられて下部アーマークランプ部１１０を支持し、上方に延びてサブマリンケーブル１０および電力三相ケーブル２０の連結部位を支持およびカバーする。また、中間アーマークランプ部１２０は、左右方向に分離されるように形成され、連結部位に直ちに装着することが可能となる。
【００３３】
具体的に、中間アーマークランプ部１２０は、左右方向の一方側で半円筒状に形成される第１中間クランプ１２０ａと、左右方向の他方側で半円筒状に形成される第２中間クランプ１２０ｂとからなり、第１中間クランプ１２０ａと第２中間クランプ１２０ｂとの結合によって円筒状をなして下部アーマークランプ部１１０の上部およびサブマリンケーブル１０の外側に装着される。
【００３４】
また、本発明の第１実施例に係る中間アーマークランプ部１２０には、左右方向に分離される一側面から側方向に突出する嵌合突起（図面符号「１３１」参照）と、一側面に面接触して結合する他側面から陥没する嵌合溝（図面符号「１３２」参照）が設けられ、左右方向への結合の際に嵌合溝１３２に嵌合突起１３１が嵌め込まれて結合力を増加させることができる。
【００３５】
また、中間アーマークランプ部１２０は、側面に沿って貫通する側面貫通ホール１２１と、側面貫通ホール１２１に螺着される圧迫ボルト１２２と、中間アーマークランプ部１２０の内側で一面が圧迫ボルト１２２の端部に接触し、他面がサブマリンケーブル１０の外周面に接触して、圧迫ボルト１２２の回転によってサブマリンケーブル１０に圧着されて支持する圧着パッド１２３とを含む。このような構成によって、中間アーマークランプ部１２０においてもサブマリンケーブル１０の側面を堅く支持することができる。
【００３６】
上部アーマークランプ部１３０は、上端から電力三相ケーブル２０を収容し、中間アーマークランプ部１２０の上部を覆うように設けられる。また、上部アーマークランプ部１３０は、左右方向に分離されるように形成され、中間アーマークランプ部１２０の上部に直ちに装着することが可能となる。
【００３７】
具体的に、上部アーマークランプ部１３０は、左右方向の一方側で半円筒状に形成される第１上部クランプ１３０ａと、左右方向の他方側で半円筒状に形成される第２上部クランプ１３０ｂとからなり、第１上部クランプ１３０ａと第２上部クランプ１３０ｂとの結合によって円筒状をなして中間アーマークランプ部１２０の上部および電力三相ケーブル２０の外側に装着される。
【００３８】
また、上部アーマークランプ部１３０には、左右方向に分離される一側面から側方向に突出する嵌合突起１３１と、一側面に面接触して結合する他側面から陥没する嵌合溝１３２とが設けられ、左右方向への結合の際に嵌合溝１３２に嵌合突起１３１が嵌め込まれて結合力を増加させることが可能となる。図２の（ｂ）の断面図の如く、嵌合突起１３１および嵌合溝１３２は上部アーマークランプ部１３０の壁面の内部に設けられているので、図２の（ａ）の斜視図では上下方向の直線のみが実質的に表示されるが、嵌合突起１３１と嵌合溝１３２の機能を強調するために結合線（分離線）の側面に対して突出または陥没する形状を直線上に実線で表示している。
【００３９】
一方、本発明の第１実施例に係る中間アーマークランプ部１２０の上部は、上方に行くほど直径が狭くなるように円錐台状に形成され、上部アーマークランプ部１３０は、中間アーマークランプ部１２０の上部を覆うように円筒状に形成され、中間アーマークランプ部１２０の上部外側と上部アーマークランプ部１３０の内側との間に、サブマリンケーブル１０の外皮を脱皮し一定の長さが表出されるように切断して接地電流の伝達を受けるアーマーワイヤー３０を介在するアーマーワイヤー３０介在空間を十分に形成することが可能となる。アーマーワイヤー３０は、サブマリンケーブルの外皮内側に挿入される直径７〜１０ｍｍの鉄線であって、サブマリンケーブルの強度を強化させ、アーマークランプアセンブリと連結してサブマリンケーブルが海側に引っ張られていかないようにホールドする役割を果たす。しかも、本発明の第１実施例では、サブマリンケーブルの外皮を脱皮し一定の長さが表出されるように切断したアーマーワイヤー２０を中間アーマークランプ部１２０と上部アーマークランプ部１３０との間に介在して接地電流の伝達を受けるようにし、中間アーマークランプ部１２０の一側には外部接地線（図示せず）が結合して、アーマーワイヤー３０に伝達された接地電流を外部へ接地するように構成される。
【００４０】
また、本発明の第１実施例に係る上部アーマークランプ部１３０は上部が段差をおいて縮径し、段差面に沿って第１締結溝１３３を設け、中間アーマークランプ部１２０は上部円錐台状の下縁部に沿って第１締結ホール１３３に対応する第１締結溝１２４を設けることにより、中間アーマークランプ部１２０に上部アーマークランプ部１３０を覆って、第１締結ホール１３３と第１締結溝１２４との間を締結させる第１締結ボルト１３４をさらに締結させることが可能である。これにより、上部アーマークランプ部１３０は中間アーマークランプ部１２０上で堅く固定される。ここで、上部アーマークランプ部１３０は実質的に中間アーマークランプ部１２０の蓋の機能を行う。
【００４１】
一方、本発明の第１実施例において、下部アーマークランプ部１１０、中間アーマークランプ部１２０および上部アーマークランプ部１３０は、上下方向に隣り合うアーマークランプ部の間に、左右方向の分離線が上下方向に互いに一致しないように左右に回して配置することが好ましい。すなわち、図１では下部アーマークランプ部１１０、中間アーマークランプ部１２０および上部アーマークランプ部１３０の分離線が一直線状に並んでいるが、これよりは分離線が互いに平面上で交差するように回して配置すると、下部アーマークランプ部１１０を中間アーマークランプ部１２０が支持し、中間アーマークランプ部１２０を上部アーマークランプ部１３０が支持することができるので、左右方向への離隔または離脱を防止し且つさらに堅く固定することができる。
【００４２】
このように、本発明の第１実施例に係るサブマリンケーブルアーマークランプアセンブリは、電力三相ケーブルからサブマリンケーブルに連結される部分を堅く支持することができるとともに、自重によって海の方向に引張力が作用しても、サブマリンケーブルをしっかり把持することにより、下方に引っ張られるのを防止することができる。
【００４３】
また、本発明の第１実施例に係るサブマリンケーブルアーマークランプアセンブリは、施工時の容易な装着および脱去のために左右に分離可能であるが、結合の際には堅く締結させることができる。
【００４４】
また、本発明の第１実施例に係るサブマリンケーブルアーマークランプアセンブリは、アーマーワイヤーを十分に保護し、接地構造の設置を容易にする空間を効果的に確保することができる。
【００４５】
＜第２実施例＞
図５および図６は本発明の第２実施例に係るサブマリンケーブルアーマークランプアセンブリを説明するための図である。具体的に、図５は本発明の第２実施例に係るサブマリンケーブルアーマークランプアセンブリを示す図、図６は本発明の第２実施例に係るサブマリンケーブルアーマークランプアセンブリを分解して示す図である。
【００４６】
図５および図６に示すように、本発明の第２実施例に係るサブマリンケーブルアーマークランプアセンブリの下部アーマークランプ部１１０、中間アーマークランプ部１２０および上部アーマークランプ部１３０は、図１〜図４を参照して上述した本発明の第１実施例に係るサブマリンケーブルアーマークランプアセンブリの下部アーマークランプ部１１０、中間アーマークランプ部１２０および上部アーマークランプ部１３０と同一または類似の構成および動作特性を持つので、これについてのより詳細な説明は、本発明の第１実施例を参照することとし、以下では省略する。
【００４７】
ここで、本発明の第２実施例に係る中間アーマークランプ部１２０には、下端に段差をおいて外側にさらに延びるように設けられる第２締結フランジ１２５と、第２締結フランジ１２５の段差面に沿って設けられ、上下方向に貫通する第３締結ホール１２６とがさらに備えられる。
【００４８】
また、下部アーマークランプ部１１０には、第１締結フランジ１１１の段差面に沿って第３締結ホール１２６と対応して第４締結ホール１１４がさらに設けられる。すなわち、第４締結ホール１１４は予め配置された第２締結ホール１１２同士の間に設けられ得る。
【００４９】
本発明の第２実施例では、第３締結ホール１２６と第４締結ホール１１４を貫通して中間アーマークランプ部１２０と下部アーマークランプ部１１０とを互いに締結させる第３締結ボルト１２７をさらに含むことができる。
【００５０】
このように、本発明の第２実施例では、中間アーマークランプ部の下端に第２締結フランジをさらに設け、第２締結フランジを第１締結フランジと締結させることにより、下部アーマークランプ部を中間アーマークランプ部でさらに堅く固定して支持することができる。これにより、サブマリンケーブルなどの自重によって下方への移動を一層効果的に防止することができる。
【００５１】
＜第３実施例＞
図７および図８は本発明の第３実施例に係るサブマリンケーブルアーマークランプアセンブリを説明するための図である。具体的に、図７は本発明の第３実施例に係るサブマリンケーブルアーマークランプアセンブリを示す図、図８は本発明の第３実施例に係るサブマリンケーブルアーマークランプアセンブリを分解して示す図である。
【００５２】
図７および図８に示すように、本発明の第３実施例に係るサブマリンケーブルアーマークランプアセンブリの下部アーマークランプ部１１０、中間アーマークランプ部１２０および上部アーマークランプ部１３０は、図１〜図４を参照して上述した本発明の第１実施例に係るサブマリンケーブルアーマークランプアセンブリの下部アーマークランプ部１１０、中間アーマークランプ部１２０および上部アーマークランプ部１３０と同一または類似の構成および動作特性を持つので、これについてのより詳細な説明は本発明の第１実施例を参照することとし、以下では省略する。
【００５３】
ここで、本発明の第３実施例に係る上部アーマークランプ部１３０は、下部アーマークランプ部１１０の第１締結フランジ１１１まで下方に延びる。また、上部アーマークランプ部１３０には、下端に段差をおいて外側へさらに延びるように設けられる第３締結フランジ１３５と、第３締結フランジ１３５の段差面に沿って設けられ、上下方向に貫通する第５締結ホール１３６とがさらに備えられる。
【００５４】
また、下部アーマークランプ部１１０には、第１締結フランジ１１１の段差面に沿って第５締結ホール１３６と対応して第６締結ホール１１５がさらに設けられる。すなわち、第６締結ホール１１５は予め配置された第２締結ホール１１２同士の間に設けられ得る。
【００５５】
本発明の第３実施例では、第５締結ホール１３６と第６締結ホール１１５を貫いて上部アーマークランプ部１３０と下部アーマークランプ部１１０とを互いに締結させる第４締結ボルト１３７をさらに含むことができる。
【００５６】
このように、本発明の第３実施例では、上部アーマークランプ部を下部アーマークランプ部まで延ばし、中間アーマークランプ部と下部アーマークランプ部を全て内側に収容する保護ケース機能を行うことができる。
【００５７】
また、上部アーマークランプ部の下端に第３締結フランジをさらに設け、第３締結フランジを第１締結フランジと締結させることにより、下部アーマークランプ部を上部アーマークランプ部でさらに堅く固定して支持することができる。これにより、サブマリンケーブルなどの自重によって下方への移動を一層効果的に防止することができる。
【００５８】
＜第４実施例＞
本発明の第４実施例では、上述したように構成されるサブマリンケーブルアーマークランプアセンブリを施工する方法についてより詳細に考察する。
【００５９】
まず、第１段階では、電力三相ケーブルが分岐するサブマリンケーブルの部分において、サブマリンケーブルの外周面に、左右方向の一方側で半円筒状に形成される第１下部クランプと、左右方向の他方側で半円筒状に形成される第２下部クランプとからなる下部アーマークランプ部を、第１下部クランプと第２下部クランプとの結合によって円筒状をなしてサブマリンケーブルの装着位置に直ちに装着する。
【００６０】
次に、第２段階では、下端が下部アーマークランプ部の上部の外周面に取り付けられて下部アーマークランプ部を支持し、上方に延びてサブマリンケーブルおよび電力三相ケーブルの連結部位を支持およびカバーするように、左右方向の一方側で半円筒状に形成される第１中間クランプと左右方向の他方側から半円筒状に形成される第２中間クランプとからなる中間アーマークランプ部を、第１中間クランプと第２中間クランプの結合によって円筒状をなして下部アーマークランプ部の上部およびサブマリンケーブルの連結部位の外側に直ちに装着する。
【００６１】
次に、第３段階では、上端から電力三相ケーブルを収容し且つ中間アーマークランプ部の上部を覆うように設けられるよう、左右方向の一方側で半円筒状に形成される第１上部クランプと、左右方向の他方側で半円筒状に形成される第２上部クランプとからなる上部アーマークランプ部を、第１上部クランプと第２上部クランプとの結合によって円筒状をなして中間アーマークランプ部の上部および電力三相ケーブルの外側に直ちに装着する。
【００６２】
この際、下部アーマークランプ部、中間アーマークランプ部および上部アーマークランプ部は、上下方向に隣り合うアーマークランプ部の間に、左右方向の分離線が上下方向に互いに一致しないように左右に回して配置する。
【００６３】
また、下部アーマークランプ部、中間アーマークランプ部および上部アーマークランプ部の少なくとも一つのアーマークランプ部には、左右方向に分離される一側面から側方向に突出する嵌合突起と、一側面に面接触して結合する他側面から陥没する嵌合溝とを設け、左右方向への結合の際に嵌合溝に嵌合突起が嵌め込まれて結合力を増加させるようにする。
【００６４】
また、中間アーマークランプ部は、側面に沿って貫通する側面貫通ホールと、側面間筒ホールに螺着される圧迫ボルトと、中間アーマークランプ部の内側で一面が圧迫ボルトの終端部に接触し且つ他面がサブマリンケーブルの外周面に接触して、圧迫ボルトの回転によってサブマリンケーブルに圧着されて支持する圧着パッドをさらに形成することにより、施工後のサブマリンケーブルの支持力を向上させることが好ましい。
【００６５】
また、中間アーマークランプ部の上部は上方に行くほど直径が狭くなるように円錐台状に形成し、上部アーマークランプ部は中間アーマークランプ部の上部を覆うように円筒状に形成することにより、中間アーマークランプ部の上部の外側と上部アーマークランプ部の内側との間に、サブマリンケーブルの外皮を脱皮し一定の長さが表出されるように切断して接地電流の伝達を受けるアーマーワイヤーを介在するアーマーワイヤー介在空間を形成するようにする。すなわち、第２段階では、中間アーマークランプ部を形成した後、アーマーワイヤーを中間アーマークランプ部の外側に抜けて半田付けする方式で外部接地線と連結されるようにする。
【００６６】
また、上部アーマークランプ部は上部が段差をおいて縮径し、段差面に沿って第１締結ホールを設け、中間アーマークランプ部は上部円錐台状の下縁部に沿って第１締結ホールと対応する第１締結溝を設けることにより、中間アーマークランプ部に上部アーマークランプ部を覆って、第１締結ホールと第１締結溝間を締結させる第１締結ボルトをさらに締結させる。
【００６７】
また、下部アーマークランプ部には、下端に段差をおいて外側へさらに延びるように設けられる第１締結フランジと、第１締結フランジの段差面に沿って設けられ、上下方向に貫通する第２締結ホールとをさらに備え、第２締結ホールを介して、海底を通過して陸上の構造物と海上の構造物の間で電力供給および通信連結を行うためのサブマリンケーブルを陸上または海上の構造物に固定させる第２締結ボルトを用いて構造物に締結するようにする。
【００６８】
また、中間アーマークランプ部には、下端に段差をおいて外側へさらに延びるように設けられる第２締結フランジと、第２締結フランジの段差面に沿って設けられ、上下方向に貫通する第３締結ホールをさらに備え、下部アーマークランプ部には、第１締結フランジの段差面に沿って第３締結ホールと対応して第４締結ホールをさらに備えることにより、第３締結ボルトを用いて第３締結ホールと第４締結ホールを貫いて中間アーマークランプ部と下部アーマークランプ部とを互いに締結させるようにする。
【００６９】
また、他の施工方法では、上部アーマークランプ部は下部アーマークランプ部の第１締結フランジまで下方に延びるものであり、上部アーマークランプ部には、下端に段差をおいて外側へさらに延びるように設けられる第３締結フランジと、第３締結フランジの段差面に沿って設けられて上下方向に貫通する第５締結ホールとをさらに備え、下部アーマークランプ部には第１締結フランジの段差面に沿って第５締結ホールと対応して第６締結ホールをさらに備えることにより、第４締結ボルトを用いて第５締結ホールおよび第６締結ホールを貫通して上部アーマークランプ部と下部アーマークランプ部とを互いに締結させるようにする。
【００７０】
このように、上述した本発明の技術的構成は、本発明の属する技術分野における当業者であれば、本発明の技術的思想または必須の特徴を変更することなく他の具体的な形態で実施できることを理解することができるであろう。
【符号の説明】
【００７１】
１０  サブマリンケーブル
２０  電力三相ケーブル
３０  アーマーワイヤー
１１０  下部アーマークランプ部
１１０ａ  第１下部クランプ
１１０ｂ  第２下部クランプ
１１１  第１締結フランジ
１１２  第２締結ホール
１１３  第２締結ボルト
１１４  第４締結ホール
１１５  第６締結ホール
１２０  中間アーマークランプ部
１２０ａ  第１中間クランプ
１２０ｂ  第２中間クランプ
１２０ｃ  中間アーマークランプ部の上部円錐台状
１２１  貫通ホール
１２２  圧迫ボルト
１２３  圧着パッド
１２４  第１締結溝
１２５  第２締結フランジ
１２６  第３締結ホール
１２７  第３締結ボルト
１３０  上部アーマークランプ部
１３０ａ  第１上部クランプ
１３０ｂ  第２上部クランプ
１３１  嵌合突起
１３２  嵌合溝
１３３  第１締結ホール
１３４  第１締結ボルト
１３５  第３締結フランジ
１３６  第５締結ホール
１３７  第４締結ボルト
【要約】
【課題】サブマリンケーブルを堅く把持することができ、施工の際に装着および脱去が容易なサブマリンケーブルアーマークランプアセンブリを提供する。
【解決手段】本発明に係るサブマリンケーブルアーマークランプアセンブリは、サブマリンケーブルの外周面に密着して上下移動を制限するように取り付けられ、左右方向に分離されるように形成されてサブマリンケーブルの装着位置に直ちに装着することが可能な下部アーマークランプ部と；下端が下部アーマークランプ部の上部の外周面に取り付けられて下部アーマークランプ部を支持し、上方に延びてサブマリンケーブルおよび電力三相ケーブルの連結部位を支持およびカバーし、左右方向に分離されるように形成されて連結部位に直ちに装着することが可能な中間アーマークランプ部と；上端から電力三相ケーブルを収容し、中間アーマークランプ部の上部を覆うように設けられ、左右方向に分離されるように形成されて中間アーマークランプ部の上部に直ちに装着することが可能な上部アーマークランプ部とを含んでなる。
【選択図】図１【図１】
0005922212.tif 000002
【図２】
0005922212.tif 000003
【図３】
0005922212.tif 000004
【図４】
0005922212.tif 000005
【図５】
0005922212.tif 000006
【図６】
0005922212.tif 000007
【図７】
0005922212.tif 000008
【図８】
0005922212.tif 000009